(57)【要約】【課題】携帯型電子機器の外部照度を検出し、この検出値に応じて輝度とコントラスト、又は、輝度と色合いを調整して、ユーザーの視認性をより優れたものにしようとするものである。【解決手段】照明を有する表示装置を備える携帯型電子機器において、外部照度検出器を有し、外部照度に応じて表示装置の輝度とコントラストを変化させるようにした。また、照明を有する表示装置を備える携帯型電子機器において、外部照度検出器を有し、外部照度に応じて表示装置の輝度と色合いを変化させるようにした。【選択図】        図１
2004354872.tif 000002
【特許請求の範囲】
【請求項１】
照明を有する表示装置を備える携帯型電子機器において、外部照度検出器を有し、外部照度に応じて表示装置の輝度とコントラストを変化させるようにした携帯型電子機器。
【請求項２】
照明を有する表示装置を備える携帯型電子機器において、外部照度検出器を有し、外部照度に応じて表示装置の輝度と色合いを変化させるようにした携帯型電子機器。
【請求項３】
照明を有する表示装置を備える携帯型電子機器において、外部照度検出器を有し、外部照度に応じて表示装置の輝度、コントラスト及び色合いを変化させるようにした携帯型電子機器。
【請求項４】
上記外部照度検出器を一定の時間おきに動作させるようにした請求項１〜請求項３のいずれか１項に記載の携帯型電子機器。
【発明の詳細な説明】
【０００１】
【発明の属する技術分野】
この発明は、照明を有する表示装置を備える携帯型電子機器に関するものである。
【０００２】
【従来の技術】
照明を有する表示装置を備えた携帯型電子機器においては、反射型液晶表示パネルの輝度を光センサで検出し、その検出値と反射型液晶表示パネルの輝度の基準値とを比較して、反射型液晶表示パネルの輝度を基準値に一致させるようにするものが、特許文献１に示されている。
【０００３】
【特許文献１】
特開２００１−３５０４４１号公報（図３、第４−５頁）
【０００４】
【発明が解決しようとする課題】
しかしながら、上記従来の携帯型電子機器の場合では、反射型液晶表示パネルの輝度に応じて輝度のみを変化調整させるので、ユーザーが最適な視認性を得ているとは言い難い。
【０００５】
この発明は、上記のような問題点を解消するためになされたもので、携帯型電子機器の外部照度を検出し、この検出値に応じて輝度とコントラスト、又は、輝度と色合いを調整して、ユーザーの視認性をより優れたものにしようとするものである。
【０００６】
【課題を解決するための手段】
この発明に係わる携帯型電子機器は、照明を有する表示装置を備える携帯型電子機器において、外部照度検出器を有し、外部照度に応じて表示装置の輝度とコントラストを変化させるようにしたものである。
【０００７】
また、照明を有する表示装置を備える携帯型電子機器において、外部照度検出器を有し、外部照度に応じて表示装置の輝度と色合いを変化させるようにしたものである。
【０００８】
【発明の実施の形態】
実施の形態１．
図１はこの発明の実施の形態１である携帯型電子機器の構成を示すブロック図である。図中の１は携帯電話機器の電気的制御を行っている制御装置（ＣＰＵ）、２は携帯電話機器が通信処理を行なうため保有しているタイマ、３は光センサ１１のアナログ値をＣＰＵ１が処理可能なデジタル値に変換するＡ／Ｄ変換器、４はＣＰＵ１からのデジタル値を照明制御装置用のアナログ値に変換するＤ／Ａ変換器、６は照明装置で、５は照明装置制御部、８は表示装置（ＬＣＤ）で、７はＬＣＤの表示制御部、９，１０はそれぞれＲＡＭ，ＲＯＭ、１１は携帯型電子機器の周囲の外部照度を検出する光センサ、１２はキー入力部、１３は送受信回路である。これらはバスを介して相互に接続されている。
【０００９】
次に動作について説明する。図２は実施の形態１の動作を説明するフローチャートである。ＣＰＵ１から照明装置点灯要求が来た場合、タイマＡ、タイマＢを同時に起動させる（ＳＴ１）。ここで、タイマＡは一定時間（例えば０、７２ｓｅｃ）おきに光センサ１１の検出値を参照する時間を設定するもので、タイマＢは照明装置６の連続点灯期間（例えば、１５ｓｅｃ）を設定するものであり、携帯型電子機器に予め設定されている。タイマＡの値が０でない場合（ＳＴ２：ＮＯ）は、タイマＡの値が０になるまで待機する。タイマＡは例えば、０、７２ｓｅｃ周期で繰り返しており、０、７２ｓｅｃ周期で０を迎える。タイマＡの値が０の場合は（ＳＴ２：ＹＥＳ）、光センサ１１の電源をＯＮする（ＳＴ３）。すると光センサ１１は携帯型電子機器の周囲外部照度に応じた電圧値を発生する。この電圧値は、Ａ／Ｄ変換器３でＡ／Ｄ変換され（ＳＴ４）、その変換値がＲＯＭに内蔵された閾値Ｋより小さい場合（ＳＴ５：ＮＯ）のみ、タイマＢ値に一定の補正値を加え、照明装置６の点灯時間を設定値より長くし、暗所での使用のときの利便性を高くする（ＳＴ６）。ここで、閾値Ｋは明所／暗所を切り分ける閾値である。
【００１０】
次に光センサ１１の消費電力を抑えるため光センサの電源をＯＦＦする（ＳＴ７）。ＳＴ４で取得した（外部照度に対応した電圧値に応じた）Ａ／Ｄ変換値を元に、ＲＯＭ１０に設定された設定テーブルに従って、最適輝度／コントラスト／色合いの判定を行う（ＳＴ８）。設定テーブルを図３に示す。図３は周囲照度（外部照度）別の最適輝度／コントラスト／色合いを示す。周囲照度のレベル分けについては、無段階でも、何段階設けても良い。決定した最適輝度／コントラスト／色合いを実現できるよう、決定したディジタル値をＤ／Ａ変換器４でアナログ値に変換し、照明装置制御部５を制御する（ＳＴ９）。決定した最適輝度／コントラスト／色合いの３つを調整制御することが好ましいが、そのうち、最適輝度／コントラストのみを制御しても良いし，最適輝度／色合いのみを制御しても良く、これにより、いかなる環境下でもユーザーに最適な視認性を与えることができる。
【００１１】
なお、コントラストは白パターンと黒パターンとの明るさの相対的な差を表しており、白パターンの明るさ：Ｉｍａｘ、黒パターンの明るさ：Ｉｍｉｎと定義したとき、コントラストは以下の式で表される。
コントラスト＝（Ｉｍａｘ−Ｉｍｉｎ）／（Ｉｍａｘ＋Ｉｍｉｎ）
【００１２】
次にタイマＢの値が０になっている場合（ＳＴ１０：ＹＥＳ）は、照明装置６の電源がＯＦＦされるので、本フローを終了する。タイマＢの値が０でない場合（ＳＴ１０：ＮＯ）は、再度ＳＴ２より本フローを行なう。
なお、光センサ１１の検出値を参照する時間間隔を設定することにより、消費電力を抑えることができる。
【００１３】
【発明の効果】
以上説明したように、この発明の携帯型電子機器によれば、照明を有する表示装置を備える携帯型電子機器において、外部照度検出器を有し、外部照度に応じて表示装置の輝度とコントラストを変化させるようにしたので、ユーザーに望ましい視認性を与えることができる。
【００１４】
また、照明を有する表示装置を備える携帯型電子機器において、外部照度検出器を有し、外部照度に応じて表示装置の輝度と色合いを変化させるようにしたので、ユーザーに望ましい視認性を与えることができる。
【図面の簡単な説明】
【図１】この発明の実施の形態１である携帯型電子機器の構成を示すブロック図である。
【図２】実施の形態１の動作を説明するフローチャートである。
【図３】周囲照度（外部照度）別の最適輝度／コントラスト／色合いを表す設定テーブルを示す図である。
【符号の説明】
１  制御装置（ＣＰＵ）              ２  タイマ
３  Ａ／Ｄ変換器                    ４  Ｄ／Ａ変換器
５  照明装置制御部                  ６  照明装置
７  表示制御部                      ８  表示装置（ＬＣＤ）
９  ＲＡＭ                        １０  ＲＯＭ
１１  光センサ                      １２  キー入力部
１３  送受信回路。
【図１】
2004354872.tif 000003
【図２】
2004354872.tif 000004
【図３】
2004354872.tif 000005